(57)【要約】【課題】海上に組まれた筏に乗って黒鯛を釣るにあたり、餌をコマセで包み込んだコマセ団子４を海に落としこんで撒くためのコマセ撒き具２であって、自ら筏面に安定載置できると共に、コマセ団子４の保持についても安定性に優れるようにした。【解決手段】柄３の先端に取付けられるコマセ撒き具２を、上面および底面が開口した円球形状で形成し、筏面に置いたときには底面開口２ａが安定して載り、しかもコマセ団子４を、接触面が少ない状態で安定保持しながら海中に落とすことができる。【選択図】        図２
2004305181.tif 000002
【特許請求の範囲】
【請求項１】
棒状の柄の先端に取付けられるコマセ撒き具であって、該コマセ撒き具は上面および底面がそれぞれ開口した半球形状をしていることを特徴とするコマセ撒き具。
【請求項２】
請求項１において、団子状に丸めたコマセ団子を入れるものであることを特徴とするコマセ撒き具。
【請求項３】
請求項２において、底面開口は、コマセ団子の直径より小さいものであることを特徴とするコマセ撒き具。
【請求項４】
請求項１、２または３において、上面開口の内周面は、側面部内周面に対して内側に肉厚になっていることを特徴とするコマセ撒き具。
【請求項５】
請求項４において、上面開口の内周面は、側面部内周面とは段差状に肉厚に成っていることを特徴とするコマセ撒き具。
【請求項６】
請求項１、２、３、４または５において、底面開口の内周面は縦面となっていることを特徴とするコマセ撒き具。
【請求項７】
請求項１、２、３、４、５または６において、側面部は貫通孔が穿設されていることを特徴とするコマセ撒き具。
【発明の詳細な説明】
【０００１】
【発明の属する技術分野】
本発明は、海老等の餌を包み込むようにして団子状に固めたコマセ団子を海中に落として黒鯛（チヌ）を釣る黒鯛釣り等の際に用いるコマセ撒き具の技術分野に属するものである。
【０００２】
【従来技術】
こんにち、日本各地で釣りがブームになって盛んに行われているが、このような釣りの中には、海上に組まれた筏に渡船し、ここで黒鯛を釣る筏釣りのようなものがあり、このような釣りにおいては、海老等の餌をコマセ（寄せ餌）で団子状に包んでコマセ団子を形成し、このコマセ団子を海中に落として釣るという手法が一般である。そしてこのコマセ団子を落とす場合、できるだけ静かに落として黒鯛を散らせないようにすると共に、同一箇所に落としてコマセを集中させてコマセ効果を高くすることが要求される。
ところでこのようなコマセ撒き具としては、棒状の柄の先端に半紡錘形状（スプーン形状）をしたコマセ撒き具を取付けた柄杓が知られている（非特許文献１）。このものは一般には磯釣りをする際のコマセ撒き具として用いられるものであって、コマセ入れに入っているコマセをコマセ撒き具に掬って海に投げ込むものとして使用される。
【０００３】
【非特許文献１】
「クロダイ（チヌ）」、１９８８年６月２０日  株式会社西東社発行第４２頁
【０００４】
【発明が解決しようとする課題】
ところで、前記筏釣りをする場合、コマセ団子を静かに同じ場所に落とすことが要求され、そこで従来は、前記磯釣り用のコマセ撒き具にコマセ団子を乗せた状態で海面近くまで持っていき、コマセ撒き具を静かに裏返すように操作してコマセ団子を海中に落とすようにしていた。しかしながら従来のコマセ撒き具は、半紡錘形状をした有底状のものであるため、球状に纏めたコマセ団子を安定して載せることができないだけでなく、コマセ団子をコマセ撒き具に乗せた状態で底部を筏上に置くとゴロリと傾いてしまい、コマセ団子が受け具から転がり出てしまうという問題があり、ここに本発明の解決すべき課題がある。
【０００５】
【課題を解決するための手段】
本発明は、上記のような実情に鑑み、これらの課題を解決することを目的として創作されたものであって、請求項１の発明は、棒状の柄の先端に取付けられるコマセ撒き具であって、該コマセ撒き具は上面および底面が開口した半球形状をしていることを特徴とするコマセ撒き具である。
そしてこのようにすることにより、筏面においても転がることがない安定性のあるコマセ撒き具さすることができる。
請求項２の発明は、請求項１において、底面が開口し、団子状に丸めたコマセ団子を入れるものであることを特徴とすることができ、筏釣りに好適なものとなる。
請求項３の発明は、請求項２において、底面開口は、コマセ団子の直径より小さいものであることを特徴とすることができ、このようにすることで、コマセ団子を安定して載せることができる。
請求項４の発明は、請求項１、２または３において、上面開口の内周面は、側面部内周面に対して内側に肉厚になっていることを特徴とすることができ、このようにすることで、コマセ団子がコマセ撒き具の側面部内周面に広く接触して落ちづらくなってしまうことを回避できる。
請求項５において、請求項４において、上面開口の内周面は、側面部内周面とは段差状に肉厚に成っていることを特徴とすることができ、このようにすることで、コマセ団子の接触をより少なくできる。
請求項６の発明は、請求項１、２、３、４または５において、底面開口の内周面は縦面となっていることを特徴とすることができ、このようにすることで、コマセ撒き具は筏面等の置き面に線状に接触することになって安定した載置ができる。
請求項７の発明は、請求項１、２、３、４、５または６において、側面部は貫通孔が穿設されていることを特徴とすることができ、このようにすることでさらにコマセ団子との接触を少なくすることができる。
【０００６】
【発明の実施の形態】
次に、本発明の実施の形態について図面を用いて説明する。図面において、１はコマセ用の柄杓であって、該柄杓１は、上側が開口した半球形状をしたコマセ撒き具２と、該込ませ撒き具２を先端に取付ける柄３とから構成されるが、前記コマセ巻き具２に本発明が実施されている。
【０００７】
つまり前記コマセ巻き具２は、餌をコマセで包んで形成されるコマセ団子４を収容できるべく半球形状をしているが、底面がコマセ団子４の半径よりも小径となる状態で開口２ａしていて、コマセ団子４が収容された状態でコマセ撒き具１を持ち上げた場合、該コマセ団子４の下部位が底面開口２ａから少しはみ出すようになっている。底面開口２ａは縦状の底側内周面２ｂで構成されることで下端縁が先鋭状となり、これによって筏等の載置面に線接触状態で接触して安定載置ができるように配慮されている。
【０００８】
一方、コマセ巻き具２の上面開口２ｃは、コマセ団子４の直径と略同じか大きい径をし、側面部内周面２ｄに対して内側に向けて段差状に肉厚となるよう縁取らた上側内周面２ｅと水平状の上面２ｆとを備えて構成されている。そして前記段差２ｇがあることで、コマセ団子４を受け具２に入れた場合、該コマセ団子４の側面部内周面２ｄへの接触面積が小さくなるよう設定されていて、コマセ団子４が受け具２から落ち易くなるよう配慮されている。
【０００９】
また、受け具２の側面部には、上下二段となるよう複数の貫通孔２ｈ、２ｉが周回り方向に穿設されているが、上側の貫通孔２ｈは下側の貫通孔２ｉよりも大径となっている。そしてこれら貫通孔２ｈ、２ｉがあることで、コマセ団子４を受け具２に入れた場合、該コマセ団子４の側面部内周面２ｄへの接触面積がさらに小さくなるよう設定されている。
【００１０】
前記受け具２の上側内周面２ｅには切欠き２Ｊが形成され、ここに前記柄３の先端部をビス止めするための取付け孔２ｋが穿設されている。
【００１１】
叙述の如く構成された本発明の実施の形態において、コマセ撒き具２は底面が開口した半球形状をしているため、該底面開口２ａを筏等の載置面に置いたとき安定載置ができることになって、不用意に転がって海に落ちたりすることがない。そうして餌をコマセで包み込んで丸めたコマセ団子４をコマセ撒き具２に入れた場合、該コマセ団子４は下端部が底面開口２ａから少しはみ出る状態となって保持される。このためコマセ団子４は安定した状態でコマセ撒き具２に保持される。そしてこの状態でコマセ撒き具２を筏面に載置すると、コマセ団子４の下面が筏面に載り、次にコマセ撒き具２がコマセ団子４から離れる状態で下がって筏面に載る。このため時間がたつことによりコマセ団子４がコマセ撒き具２に付着してしまうことを回避できる。
【００１２】
そして柄３を把持して柄杓１を持ち上げ、柄３の操作でコマセ撒き具２をポイントのところまで移動させて海面すれすれのところから静かに柄３を反転してコマセ団子４を海中に落として釣りを開始することになる。
【００１３】
このように、本発明が実施された形態においては、コマセ撒き具２は、従来の半紡錘形状をしたものに比して自ら安定性に富むばかりでなく、コマセ団子４の保持についても安定性が高く、ポイントのところに静かに落とすことができるが、さらにこのものでは底部開口２ａを先鋭状にしてより載置したときの安定性をさらに優れたものにすると共に、側面部内周面２ｄを上面開口２ｃに対して段差状に肉薄にしてコマセ団子４との接触を少なくし、さらに側面部には上下二段の貫通孔２ｈ、２ｉを穿設してコマセ団子４ｓの接触面積を低減することで、離れ易いだけでなく、コマセ団子４との接触が極力小さくなってコマセ団子４の型崩れをなくすことができる。
【００１４】
尚、本発明は前記実施の形態に限定されないものであることは勿論であって、要は、上面および底面がそれぞれ開口した半球形状をしていれば十分であり、例えば図６〜図８に示す第二の実施の形態のように側面部に貫通孔のないものであっても実施することができる。
【図面の簡単な説明】
【図１】（Ａ）、（Ｂ）は柄を付けたコマセ撒き具の正面図、底面図である。
【図２】柄を付けたコマセ撒き具の断面正面図である。
【図３】（Ａ）、（Ｂ）はコマセ撒き具にコマセ団子を支持した状態を示す正面図、側面図である。
【図４】（Ａ）、（Ｂ）、（Ｃ）、（Ｄ）はコマセ撒き具の正面図、縦断面図、底面図、平面図である。
【図５】使用状態を示す斜視図である。
【図６】（Ａ）、（Ｂ）、（Ｃ）は第二の実施の形態を示すコマセ撒き具の正面図、左側面図、右側面図である。
【図７】（Ａ）、（Ｂ）、（Ｃ）は第二の実施の形態のコマセ撒き具の平面図、底面図、縦断面図である。
【図８】（Ａ）、（Ｂ）は第二の実施の形態の斜視図、柄を付けた使用状態を示す斜視図である。
【符号の説明】
２    コマセ撒き具
２ａ  底面開口
２ｂ  底側内周面
２ｃ  上面開口
２ｄ  側面部内周面
２ｇ  段差
２ｈ、２ｉ  貫通孔
３    柄
４    コマセ団子
【図１】
2004305181.tif 000003
【図２】
2004305181.tif 000004
【図３】
2004305181.tif 000005
【図４】
2004305181.tif 000006
【図５】
2004305181.tif 000007
【図６】
2004305181.tif 000008
【図７】
2004305181.tif 000009
【図８】
2004305181.tif 000010